(57)【特許請求の範囲】
【請求項１】
回路基板に装着され回動軸を有する計器本体と、前記回動軸の先端側に固着された指針と、この指針の後方に配置され表示板用表示部と地部とを有する表示板と、前記回路基板に実装され前記表示板を後方から照射する光源と、前記回路基板と前記表示板との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の基板の表面側にヘアラインを設け、裏面側に前記表示板用表示部となる箇所を除いて前記地部を設けたものであり、前記地部は網目状の透過部とこの透過部を除いて設けられた不透過部とからなることを特徴とする計器装置。
【請求項２】
回路基板に装着され回動軸を有する計器本体と、前記回動軸の先端側に固着された指針と、この指針の後方に配置され表示板用表示部と地部とを有する表示板と、この表示板の背後に配置された導光部材と、前記回路基板に実装され前記導光部材に光を入射する光源と、前記回路基板と前記導光部材との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の基板の表面側にヘアラインを設け、裏面側に前記表示板用表示部となる箇所を除いて前記地部を設けたものであり、前記地部は網目状の透過部とこの透過部を除いて設けられた不透過部とからなり、前記導光部材は前記表示板用表示部に対応し且つ前記表示板用表示部より僅かに幅広い導光部材用表示部を有することを特徴とする計器装置。
【請求項３】
前記不透過部は金属粉が含有されたメタリック層であることを特徴とする請求項１または請求項２に記載の計器装置。
【請求項４】
回路基板に装着され回動軸を有する計器本体と、前記回動軸の先端側に固着された指針と、この指針の後方に配置された表示板と、前記回路基板に実装され前記表示板を後方から照射する光源と、前記回路基板と前記表示板との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の表示板用表示部と地部とを有しており、前記地部は網目状の透過部とこの透過部を除いて設けられた不透過部とからなり、この不透過部は金属粉が含有されたメタリック層であることを特徴とする計器装置。
【請求項５】
回路基板に装着され回動軸を有する計器本体と、前記回動軸の先端側に固着された指針と、この指針の後方に配置された表示板と、この表示板の背後に配置された導光部材と、前記回路基板に実装され前記導光部材に光を入射する光源と、前記回路基板と前記導光部材との間に配置され、前記回路基板側から前記導光部材の周縁側にかけて末広がり状に形成されるとともに、前記回路基板側から前記表示板側にかけて濃淡が変化する着色部を設けた反射部材とを備え、前記表示板は透過性の表示板用表示部と地部とを有しており、前記地部は網目状の透過部とこの透過部を除いて設けられた不透過部とからなり、この不透過部は金属粉が含有されたメタリック層であり、前記導光部材は前記表示板用表示部に対応し且つ前記表示板用表示部より僅かに幅広い導光部材用表示部を有することを特徴とする計器装置。
【請求項６】
前記表示板用表示部に白色の透過層を設けたことを特徴とする請求項１から請求項５の何れかに記載の計器装置。
【発明の詳細な説明】
【技術分野】
【０００１】
本発明は、例えば車両に備えられる計器装置に関するものである。
【背景技術】
【０００２】
車両用の計器装置に於いて、昼間時と夜間時とで計器装置の見栄えを異ならせたものとして、例えば下記特許文献１がある。特許文献１に記載の計器は、表示意匠を設けた第２の文字板の前面側に金属製のメッシュ板を配置することによって、第２の文字板の背後に配置された光源の消灯時（昼間時）には表示意匠が殆ど見えなくて金属調に視認され、光源の点灯時（夜間時）には表示意匠がメッシュ板を介して視認されるというものである。また、メッシュ板前面の周縁側に、表面が金属調に処理されたすり鉢状の第１の文字板などを配置したことにより、立体感が得られるというものである。
【特許文献１】特開２００５−７７２０８号公報
【発明の開示】
【発明が解決しようとする課題】
【０００３】
しかしながら、特許文献１に於けるメッシュ板は金属製であり、コスト高となってしまう。また、メッシュ板は複数の細孔がメッシュ状に形成されたものであり、細孔が貫通孔からなるため、表示意匠をメッシュ板に設けたい（消灯時でも表示意匠を視認可能とさせたい）場合であっても、特に数字からなる表示意匠を貫通孔で形作ることは困難であった。
【０００４】
本発明はこの様な点に鑑みなされたもので、単純な構成で金属感と奥行き感を有する計器装置を提供することを目的とする。
【課題を解決するための手段】
【０００５】
本発明は前記目的を達成するため、回路基板に装着され回動軸を有する計器本体と、前記回動軸の先端側に固着された指針と、この指針の後方に配置され表示板用表示部と地部とを有する表示板と、前記回路基板に実装され前記表示板を後方から照射する光源と、前記回路基板と前記表示板との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の基板の表面側にヘアラインを設け、裏面側に前記表示板用表示部となる箇所を除いて前記地部を設けたものであり、前記地部は網目状の透過部とこの透過部を除いて設けられた不透過部とからなるものである。
【０００６】
また、回路基板に装着され回動軸を有する計器本体と、前記回動軸の先端側に固着された指針と、この指針の後方に配置され表示板用表示部と地部とを有する表示板と、この表示板の背後に配置された導光部材と、前記回路基板に実装され前記導光部材に光を入射する光源と、前記回路基板と前記導光部材との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の基板の表面側にヘアラインを設け、裏面側に前記表示板用表示部となる箇所を除いて前記地部を設けたものであり、前記地部は網目状の透過部とこの透過部を除いて設けられた不透過部とからなり、前記導光部材は前記表示板用表示部に対応し且つ前記表示板用表示部より僅かに幅広い導光部材用表示部を有するものである。
【０００７】
また、前記不透過部は金属粉が含有されたメタリック層である。
【０００８】
また、回路基板に装着され回動軸を有する計器本体と、前記回動軸の先端側に固着された指針と、この指針の後方に配置された表示板と、前記回路基板に実装され前記表示板を後方から照射する光源と、前記回路基板と前記表示板との間に配置され、前記回路基板側から前記表示板の周縁側にかけて末広がり状に形成されるとともに、前記回路基板側から前記表示板側にかけて濃淡が変化する着色部を設けた反射部材とを備え、前記表示板は透過性の表示板用表示部と地部とを有しており、前記地部は網目状の透過部とこの透過部を除いて設けられた不透過部とからなり、この不透過部は金属粉が含有されたメタリック層である。
【０００９】
また、回路基板に装着され回動軸を有する計器本体と、前記回動軸の先端側に固着された指針と、この指針の後方に配置された表示板と、この表示板の背後に配置された導光部材と、前記回路基板に実装され前記導光部材に光を入射する光源と、前記回路基板と前記導光部材との間に配置され、前記回路基板側から前記導光部材の周縁側にかけて末広がり状に形成されるとともに、前記回路基板側から前記表示板側にかけて濃淡が変化する着色部を設けた反射部材とを備え、前記表示板は透過性の表示板用表示部と地部とを有しており、前記地部は網目状の透過部とこの透過部を除いて設けられた不透過部とからなり、この不透過部は金属粉が含有されたメタリック層であり、前記導光部材は前記表示板用表示部に対応し且つ前記表示板用表示部より僅かに幅広い導光部材用表示部を有するものである。
【００１０】
また、前記表示板用表示部に白色の透過層を設けたものである。
【発明の効果】
【００１１】
単純な構成で金属感と奥行き感を有する計器装置を得ることができる。
【発明を実施するための最良の形態】
【００１２】
本発明を各実施形態に基づいて説明する。図１は第１実施形態を示す計器装置の断面図である。図２は同計器装置に用いられる表示板の部分正面図であり、表示板用表示部が透視した状態を示す。図３は表示板の部分断面図（図２に於けるＡ−Ａ断面）であり、図４は同計器装置に用いられる反射部材の部分正面図である。
【００１３】
計器装置は、例えば指針式の速度計１を備えている。速度計１は、硬質な回路基板２と、この回路基板２の裏面側に回路基板２と導通状態で装着され、回路基板２を貫通して前方に延びる回動軸３を有する計器本体４と、指示部５を備えた指針６と、この指針６の背後に配置され指示部５の指示対象となる表示板用表示部としての数字表示部７が施された表示板８と、この表示板８上の周縁側であって数字表示部７の周囲に配置されたリング部材９と、表示板８と回路基板２との間に配置されたハウジング１０と、反射部材１１を備えている。
【００１４】
また、回路基板２の裏面側を覆う合成樹脂製のカバー１２と、リング部材９の周縁前方側に配置されリング部材９の可視領域を定める例えば黒色の合成樹脂からなる見返し部材１３と、表示板８やリング部材９などの前方側に配置された無色透明な合成樹脂からなる透視板１４と、回動軸３周囲の回路基板２上に実装され指針６の指示部５を照明する光源としての指針用発光ダイオード１５と、表示板８を背後から照射する光源としての表示板用発光ダイオード１６を備えている。
【００１５】
ハウジング１０は、遮光性のある例えば白色の合成樹脂からなり、指針用発光ダイオード１５を囲むように表示板８と回路基板２との間に配置された筒部１７と、この筒部１７の周囲に設けられ、表示板用発光ダイオード１６からの光を周囲に反射する反射壁１８と、回路基板２側から表示板８の周縁側にかけて傾斜して形成された傾斜壁１９と、周壁２０などを有している。反射部材１１はハウジング１０の傾斜壁１９に沿って配置してある。
【００１６】
指針６は、無色透明な合成樹脂からなる指示部５の他に、指針軸２１と、遮光性の合成樹脂からなる指針キャップ２２を備えている。指示部５の裏面には例えば白色の箔（図示せず）がホットスタンプされており、昼間など周囲が明るい時は指示部５が白色で視認される。また、夜間など周囲が暗い時に例えば白色で発光する指針用発光ダイオード１５が点灯した際も、指示部５に導かれた光が白色の箔に反射して指示部５が白色で視認されるようになっている。この指針６は指針軸２１を計器本体４の回動軸３の先端側に圧入することによって計器本体４に固着される。
【００１７】
表示板８は、透過性である例えば黒色の半透明材の基板２３の裏面側に車両の速度を現す目盛，数字などの表示部の内、例えば数字表示部７と地部２４を設けたものである。数字表示部７は、基板２３の裏面側に数字表示部７となる箇所を除いて地部２４を設ける（抜き印刷する）ことによって形成される（図２に於いては、数字表示部７を黒色で、地部２４を無色で示す）。地部２４は、基板２３の裏面に例えば黒色の遮光層２５を網目状に印刷することによって形成される網目状の透過部２６と、この透過部２６を除いた不透過部２７（遮光層２５）とからなる。
【００１８】
透過部２６の大きさは、昼間時に外光によって計器装置の内部（表示板８の背後）が殆ど視認されない程度が良く、円の場合は径が0.3〜1.0mmが望ましい。透過部２６は円形に限らず、楕円形（長円方向が1.6mm以内、短円方向が0.8mm以内が望ましい）あるいは角形などでも良い。そして、数字表示部７に対応した基板２３の裏面側には白色の透過層２８が設けてある。なお、数字表示部７の中抜部２９は、遮光層２５を網目状に印刷しても良いし、べた状に印刷しても良い。
【００１９】
また、基板２３の表面側には微細なヘアライン３０が設けてある。このヘアライン３０は例えば基板２３の中心（指針６の中心に対応）から放射状に、或いは基板２３の中心を原点とする径の異なる円を複数形成したものであって、表面側（車両の運転者側）にヘアライン３０を有する透明なヘアライン層３１からなるが、基板２３の表面に直にけがき加工を行ってヘアラインを形成しても良い。
【００２０】
リング部材９は、例えば無色透明な合成樹脂からなり、外周側から中心側にかけて板厚が徐々に薄くなるような傾斜面３２を有している。そして、この傾斜面３２に数字表示部７に対応する例えば白色の目盛表示部３３が設けてある。目盛表示部３３は凸状，凹（溝）状など形状，色調は任意である。この目盛表示部３３は昼間時に於いては外光によって視認され、夜間など周囲が暗い時は表示板用発光ダイオード１６（或いはリング部材を照明する専用光源でも可）を点灯させることによって視認可能であれば、目盛構造や照明構造などは自由である。
【００２１】
反射部材１１は合成樹脂製の例えば白色のシート材からなり、ハウジング１０の傾斜壁１９に沿わせてある。傾斜壁１９に沿わせることによって反射部材１１が回路基板２側から表示板８の周縁側にかけて末広がり状に形成された状態となっている。そして、反射部材１１の表面には回路基板２側から表示板８側にかけて濃淡が徐々に変化する着色部３４が設けてある。この着色部３４は、例えば青色のドットを回路基板２側から表示板８側にかけて例えば密から徐々に粗となるように設けることによって、回路基板２側の青色が最も濃く、表示板８側にかけて徐々に淡い色に変化する。
【００２２】
なお、濃淡が徐々に変化するように青色を設けたが、回路基板２側が最も濃い青色を帯状（リング状）に設け、次第に表示板８側が薄くなるような帯状の青色を段階的に設けることによって濃淡が変化するようにしても良い。この場合、帯状領域は青色のドットでも良いし、べた印刷でも良い。着色部３４は濃淡が変化するようになっていれば、ドット印刷でもべた印刷でも良い。また、表示板８側が濃く、回路基板２側が薄くなるようにしても良い。
【００２３】
この様に構成された計器装置に於いて、昼間など周囲が明るい時は、数字表示部７以外の表示板８面は金属調に視認される。これは遮光層２５が黒色であることと、その遮光層２５の前面側にヘアライン３０が設けられているためであり、従来例の様に金属製の表示板を用いることなく金属感を表現できるものである。更に、網目状の透過部２６が径小であり、この透過部２６と遮光層２５との色調が同系色であるために、数字表示部７を除いた表示板８の全面がほぼ同色の金属調でもって視認される。数字表示部７は、基板２３の裏面側に白色の透過層２８が設けてあることにより、黒色の半透明材（基板２３）を透してほぼ白色で視認される。
【００２４】
また、夜間など周囲が暗い時に例えば白色で発光する表示板用発光ダイオード１６が点灯すると、表示板用発光ダイオード１６からの光はハウジング１０の反射壁１８に反射して反射部材１１側に向かい、反射部材１１で反射して表示板８の裏面を照射する。或いは表示板８の裏面を直射する光もある。そして、反射部材１１で反射して表示板８の裏面を照射した光は、反射部材１１に濃淡が徐々に変化する青色の着色部３４が設けてあるため、数字表示部７および数字表示部７周囲の透過部２６が青色のグラデーションとして視認されるとともに、計器装置に奥行き感が得られる。なお、表示板８の裏面を直射し透過部２６を透過した光は白味がかった薄青色で視認される。
【００２５】
この様に、金属板を用いることなく、一枚の表示板８に網目状の地部２４と数字表示部７とを形成し、表示板８の裏面側に濃淡が変化する着色部３４を設けた反射部材１１を回路基板２側から表示板８の周縁側にかけて末広がり状に傾斜させて配置したことにより、昼間時には金属質感を有し、夜間照明時には奥行き感を有する計器装置を得ることができる。
【００２６】
また、反射部材１１を表示板８に対して傾斜させて配置することにより、車両運転者の視点が少しばかり移動しても濃淡が変化する着色部３４（即ちグラデーション）が見えやすい。更に、傾斜していた方が表示板用発光ダイオード１６からの光が表示板８の裏面側に反射されやすい。また、着色部３４が回路基板２側が濃く、表示板８側が淡くなるように設けたことにより、表示板８の周縁側に比べて中心側をより奥深く視認させることができ、計器装置により立体感を持たせることができる。また、数字表示部７に白色の透過層２８を設けることにより、昼間時に於ける数字表示部７の視認性を高めることができる。
【００２７】
本発明の第２実施形態について説明する。本実施形態に於ける計器装置は、表示板８の背後に配置された導光部材３５を備えているものである。図５は第２実施形態を示す計器装置の断面図である。図６は同計器装置に用いられる表示板の部分断面図であり、前記第１実施形態に於ける図２のＢ−Ｂ断面に対応する。図７は同計器装置に用いられる導光部材の部分断面図であり、前記第１実施形態に於ける図２のＢ−Ｂ断面に対応するものである。なお、表示板に設けられた表示板用表示部は前記第１実施形態の図２と同じため、記載は省略する。また、前記第１実施形態と同一もしくは相当箇所については同一符号を付し、その説明は省略する。
【００２８】
表示板８は、前記第１実施形態と同様に黒色の半透明材の基板２３の裏面側に目盛，数字などの表示部の内、例えば数字表示部７と地部２４を設け、基板２３の表面側に微細なヘアライン３０を設けたものである。この数字表示部７，地部２４，ヘアライン３０の仕様は前記第１実施形態と同様であるため、説明は省略する。なお、本実施形態に於ける表示板８には、前記第１実施形態で設けた白色の透過層が設けられていない。
【００２９】
導光部材３５は、透過性である例えば無色透明な合成樹脂からなる。この導光部材３５は、表示板用発光ダイオード１６から平面部３６に入射させた光で表示板８を背後から透過照明するものであり、受光部３７と反射面３８を有している。また、表示板８に設けられている数字表示部７に対応した導光部材３５箇所には、数字表示部７より僅かに幅広い導光部材用表示部としての導光部材用数字表示部３９が設けてある。この導光部材用数字表示部３９は裏面側に白色の透過層２８Ａを印刷によって設けたものであり、図７に示す様に、その幅W1は表示板８の数字表示部７の幅Ｗ（図６参照）より片側で0.3〜0.6mm広くしてある。なお、白色の透過層２８Ａに代えて微細なシボを施して（シボで導光部材用数字表示部４０を形成）導光部材用数字表示部３９が白っぽく視認される様にしても良い。
【００３０】
この様に構成された計器装置に於いて、昼間など周囲が明るい時は、前記第１実施形態と同様に数字表示部７以外の表示板８面は金属調に視認される。数字表示部７は、導光部材３５の裏面側に導光部材用数字表示部３９が白色で設けてあることにより、表示板８の数字表示部７である黒色の半透明材（基板２３）を透してほぼ白色で視認される。
【００３１】
また、夜間など周囲が暗い時に例えば白色で発光する表示板用発光ダイオード１６が点灯すると、表示板用発光ダイオード１６からの光は導光部材３５の受光部３７から入射し反射面３８で反射して平面部３６に導かれる。そして、表面側（表示板８側）に出射した光が透過部２６および数字表示部７を透過して透過部２６が白色で視認される。この際、導光部材３５に白色の導光部材用数字表示部３９が設けてあるため、平面部３６内に導かれた光がこの白色の透過層２８Ａに反射して数字表示部７がより白っぽく視認される。
【００３２】
また、導光部材３５の平面部３６に導かれた光の中で導光部材３５の裏面側に出射する光もある。この光は反射部材１１で反射して導光部材３５を透過した後、表示板８の透過部２６および数字表示部７を透過する。この際、反射部材１１に濃淡が徐々に変化する青色の着色部３４が設けてあるため、特に数字表示部７および数字表示部７周囲の透過部２６が青色のグラデーションとして視認されるとともに、奥行き感が得られる。また、導光部材用数字表示部３９の幅が数字表示部７の幅より広くなっているため、数字表示部７にも立体感がでる。
【００３３】
本発明の第３実施形態について説明する。本実施形態は、前記各実施形態とは表示板が異なるのみで、他は同じため、前記各実施形態と同一もしくは相当箇所については同一符号を付し、記載および説明は省略する。図８は計器装置に用いられる表示板の部分断面図であり、前記第１実施形態に於ける図２のＣ−Ｃ断面に対応するが、表示板用表示部が表示板の表面側に設けられているものである。
【００３４】
表示板８は、透過性である例えば黒色の半透明材の基板２３の表面側に車両の速度を現す目盛，数字などの表示部の内、例えば数字表示部７と地部２４を設けたものである。数字表示部７は、基板２３の表面側に数字表示部７となる白色の透過層２８を設けた後、数字表示部７となる箇所を除いて地部２４を設ける（抜き印刷する）ことによって形成される（図２に於いては、数字表示部７を黒色で、地部２４を無色で示す）。地部２４は、基板２３の表面に金属粉（例えばアルミニウム粉）が含有された例えば黒色のメタリック層４０を網目状に印刷することによって形成される網目状の透過部２６と、この透過部２６を除いた不透過部２７（メタリック層４０）とからなる。透過部２６は前記第１実施形態と同じため省略する。なお、本実施形態に於ける表示板８にはヘアラインが設けられていない。
【００３５】
この様な表示板８を前記第１実施形態の計器装置に用いた際には、昼間など周囲が明るい時は、数字表示部７以外の表示板８面は金属粉が含まれたメタリック層４０によって金属調に視認される。数字表示部７は、基板２３の表面側に設けてある白色の透過層２８によって白色で視認される。また、夜間など周囲が暗い時に例えば白色で発光する表示板用発光ダイオード１６が点灯すると、前記第１実施形態と同様に、表示板用発光ダイオード１６からの光によって表示板８の中心側の透過部２６は白色で透過照明され、特に数字表示部７近辺から周縁にかけての数字表示部７および透過部２６は青色のグラデーションとして視認されるとともに、計器装置に奥行き感が得られる。
【００３６】
また、前述した表示板８を前記第２実施形態の計器装置に用いた際には、昼間など周囲が明るい時は、数字表示部７以外の表示板８面は金属粉が含まれたメタリック層４０によって金属調に視認され、数字表示部７は白色の透過層２８によって白色で視認される。また、夜間など周囲が暗い時に例えば白色で発光する表示板用発光ダイオード１６が点灯すると、前記第２実施形態と同様に、導光部材３５の平面部３６に導かれた光により透過部２６および数字表示部７が白色で透過されると共に、平面部３６から出射され反射部材１１で反射された光によって、特に数字表示部７近辺から周縁にかけての数字表示部７および透過部２６は青色のグラデーションとして視認されるとともに、計器装置に奥行き感が得られる。また、導光部材用数字表示部３９の幅が数字表示部７の幅より広くなっているため、数字表示部７にも立体感がでる。
【００３７】
図９は、本発明の第４実施形態を示す表示板の部分断面図である。本実施形態に於ける表示板８は、前記第１実施形態に於ける表示板８の不透過部２７を前記第３実施形態と同じ金属粉（例えばアルミニウム粉）が含有された例えば黒色のメタリック層４０としたものである。この様に構成した表示板８は、昼間など周囲が明るい時は、数字表示部７以外の表示板８面は金属調に視認される。これは基板２３の表面側にヘアライン３０が設けられていることに加え、金属粉が含まれた不透過部２７によって、より金属感が表現できる。
【００３８】
また、図示しないが、前記第２実施形態に於ける表示板８の不透過部２７も前記第４実施形態と同じ金属粉（例えばアルミニウム粉）が含有された例えば黒色のメタリック層４０とすることによって、前記第４実施形態と同様な効果が得られる。
【００３９】
なお、本発明は前記各実施形態に限定されるものではなく、例えば反射部材１１をハウジング１０の傾斜壁１９に沿わせることによって、反射部材１１が回路基板２側から表示板８（或いは導光部材３５）の周縁側にかけて末広がり状に形成された状態としたが、ハウジング１０に傾斜壁１９を設けず、反射部材１１を回路基板２側から表示板８（或いは導光部材３５）の周縁側にかけて末広がり状になるように傾斜させて配置しても良い。
【図面の簡単な説明】
【００４０】
【図１】本発明の第１実施形態を示す計器装置の断面図。
【図２】同計器装置に用いられる表示板の部分正面図。
【図３】同計器装置に用いられる表示板の部分断面図（図２に於けるＡ−Ａ断面）。
【図４】同計器装置に用いられる反射部材の部分正面図。
【図５】本発明の第２実施形態を示す計器装置の断面図。
【図６】同計器装置に用いられる表示板の部分断面図（図２のＢ−Ｂ断面に対応）。
【図７】同計器装置に用いられる導光部材の部分断面図（図２のＢ−Ｂ断面に対応）。
【図８】本発明の第３実施形態を示す表示板の部分断面図（図２のＣ−Ｃ断面に対応）。
【図９】本発明の第４実施形態を示す表示板の部分断面図。
【符号の説明】
【００４１】
２  回路基板
３  回動軸
４  計器本体
６  指針
７  数字表示部（表示板用表示部）
８  表示部
１１  反射部材
１６  表示板用発光ダイオード（光源）
２４  地部
２６  透過部
２７  不透過部
２８，２８Ａ  透過層
３０  ヘアライン
３４  着色部
３５  導光部材
３９  導光部材用数字表示部（導光部材用表示部）
４０  メタリック層
【図１】
0004821026.tif 000002
【図２】
0004821026.tif 000003
【図３】
0004821026.tif 000004
【図４】
0004821026.tif 000005
【図５】
0004821026.tif 000006
【図６】
0004821026.tif 000007
【図７】
0004821026.tif 000008
【図８】
0004821026.tif 000009
【図９】
0004821026.tif 000010